(57)【要約】  この表示装置（１）は、映像信号に応じた映像情報を表示する表示部（４０）を備え、表示部（４０）の表示特性を検出した測光部（２）からの検出情報を得る。また、表示装置（１）は、補正情報に基づいて表示部（４０）における光学特性の変化に応じて前記映像信号を変換する信号変換部（３０）と、基準とする画像を表示部（４０）に表示させる場合に、測光部（２）によって検出されるべき表示特性として定められる基準値、測光部（２）によって検出された表示特性を示す第１検出情報、及び、第１検出情報が検出された後に測光部（２）によって検出された表示特性を示す第２検出情報に基づいて、光学特性の変化を補正する補正情報を生成する補正情報生成部（２０）と、補正情報に応じて光学特性の変化を補正するように制御する制御部（９０）とを備える。
2012073344.tif 000002
【特許請求の範囲】
【請求項１】
映像信号に応じた映像情報を表示する表示部を備え、前記表示部の表示特性を検出した測光部からの検出情報を得る表示装置であって、
補正情報に基づいて前記表示部における光学特性の変化に応じて前記映像信号を変換する信号変換部と、
基準とする画像を前記表示部に表示させる場合に、前記測光部によって検出されるべき前記表示特性として定められる基準値、前記測光部によって検出された前記光学特性を示す第１検出情報、及び、前記第１検出情報が検出された後に前記測光部によって検出された前記光学特性を示す第２検出情報に基づいて、前記光学特性の変化を補正する前記補正情報を生成する補正情報生成部と、
前記補正情報に応じて前記光学特性の変化を補正するように制御する制御部と
を備えることを特徴とする表示装置。
【請求項２】
前記補正情報生成部は、
前記基準値と前記第１検出情報とに基づいた第１補正情報を生成する第１補正情報生成部と、
前記第１補正情報と前記第２検出情報とに基づいた第２補正情報を生成する第２補正情報生成部と、
を備えることを特徴とする請求項１に記載の表示装置。
【請求項３】
前記制御部は、
前記基準値と前記第１検出情報との差が、あらかじめ定められる所定の値を越える場合は、前記信号変換部において前記第２補正情報に基づいた補正を行ない、
前記基準値と前記第１検出情報との差が、あらかじめ定められる所定の値に満たない場合は、前記信号変換部において前記第２補正情報に基づいた補正を行わないようにする
ことを特徴とする請求項１に記載の表示装置。
【請求項４】
前記測光部からの検出情報を得る検出情報取得部
を備え、
前記制御部は、
前記検出情報取得部に前記測光部が最初に接続されたことを検出し、前記測光部によって検出された前記表示特性を、前記補正情報生成部における前記第１検出情報とする
ことを特徴とする請求項１に記載の表示装置。
【請求項５】
前記光学特性を所望の特性にする目標画質情報を生成する目標画質特性生成部
を備え、
前記補正情報生成部は、
前記第２補正情報と前記目標画質情報とに基づいた第３補正情報を生成する第３補正情報生成部
を備え、
前記信号変換部は、
前記設定された目標画質情報に応じて生成された前記第３補正情報により前記表示部における光学特性の変化に応じて前記映像信号を変換する
ことを特徴とする請求項１に記載の表示装置。
【請求項６】
映像信号に応じた映像情報を表示する表示部を備え、前記表示部の表示特性を検出した測光部からの検出情報を得る表示装置のコンピュータに、
補正情報に基づいて前記表示部における光学特性の変化に応じて前記映像信号を変換するステップと、
基準とする画像を前記表示部に表示させる場合に、前記測光部によって検出されるべき前記表示特性として定められる基準値、前記測光部によって検出された前記光学特性を示す第１検出情報、及び、前記第１検出情報が検出された後に前記測光部によって検出された前記光学特性を示す第２検出情報に基づいて、前記光学特性の変化を補正する前記補正情報を生成するステップと、
前記補正情報に応じて前記光学特性の変化を補正するように制御するステップと
を実行させるプログラム。
【請求項７】
映像信号に応じた映像情報を表示する表示部を備え、前記表示部の表示特性を検出した測光部からの検出情報を得る表示装置における画質調整方法であって、
補正情報に基づいて前記表示部における光学特性の変化に応じて前記映像信号を変換する過程と、
基準とする画像を前記表示部に表示させる場合に、前記測光部によって検出されるべき前記表示特性として定められる基準値、前記測光部によって検出された前記光学特性を示す第１検出情報、及び、前記第１検出情報が検出された後に前記測光部によって検出された前記光学特性を示す第２検出情報に基づいて、前記光学特性の変化を補正する前記補正情報を生成する過程と、
前記補正情報に応じて前記光学特性の変化を補正するように制御する過程と
を含むことを特徴とする画質調整方法。
【発明の詳細な説明】
【技術分野】
【０００１】
本発明は、外部に設けられた光学センサの校正する表示装置、画質調整方法及びプログラムに関する。
【背景技術】
【０００２】
表示装置は、厳密な色再現が求められる産業分野において利用される場合、定期的な表示特性の校正が行なわれて利用されている。ユーザーにとって、定期的に表示装置の表示特性の校正を行うことは、表示装置を管理する上で煩雑なことである。また、定期的に表示特性の校正を行っていたとしても、実際に表示装置を利用する際に期待する校正精度の表示特性が維持されていることを確認することは困難であった。
また、ユーザーが簡単に表示装置の表示特性を確認するために、簡易的に用いることができる光学センサを用いて表示特性を測定する場合がある（例えば、特許文献１参照）。
【先行技術文献】
【特許文献】
【０００３】
【特許文献１】特開２００５−２０８５４８号公報
【発明の概要】
【発明が解決しようとする課題】
【０００４】
ところで、表示装置の表示特性を測定する場合、測定された結果によって示される表示特性は、測定系の検出特性に依存するものとなる。
しかしながら、ユーザーが簡易的に用いることができる光学センサには検出特性の個体差があり、個体ごとに異なる測定誤差（測色誤差）が生じる。簡易的に用いられる光学センサの測色誤差は、校正時などに測定器として用いられる光学センサの測色誤差と比較すると相対的に大きな値を示す。簡易的に用いられる光学センサを用いて表示装置の表示特性を校正すると、光学センサの検出精度が低くく、測色誤差が大きくなることから、正しい表示色が得られないという課題がある。
このように、解決する課題は、検出精度の低い光学センサを用いた測定により得られる測色値に含まれる測定誤差が大きく、表示装置を校正することができない点である。
【課題を解決するための手段】
【０００５】
本発明は、映像信号に応じた映像情報を表示する表示部を備え、前記表示部の表示特性を検出した測光部からの検出情報を得る表示装置であって、補正情報に基づいて前記表示部における光学特性の変化に応じて前記映像信号を変換する信号変換部と、基準とする画像を前記表示部に表示させる場合に、前記測光部によって検出されるべき前記表示特性として定められる基準値、前記測光部によって検出された前記表示特性を示す第１検出情報、及び、前記第１検出情報が検出された後に前記測光部によって検出された前記表示特性を示す第２検出情報に基づいて、前記光学特性の変化を補正する前記補正情報を生成する補正情報生成部と、前記補正情報に応じて前記光学特性の変化を補正するように制御する制御部とを備えることを特徴とする表示装置である。
【発明の効果】
【０００６】
本発明の表示装置は、検出精度の低い光学センサを用いた測定により得られる測色値に含まれる測定誤差を小さくすることができ、表示装置を所望の精度で校正することができるという利点がある。
【図面の簡単な説明】
【０００７】
【図１】本発明の第１実施形態における表示装置を示すブロック図である。
【図２】本実施形態における表示装置における表示特性を補正する処理の手順を示すフローチャートである。
【図３】第２実施形態における表示装置を示すブロック図である。
【図４】三次元色空間における色相空間の補正処理を示す図である。
【図５】三次元色空間における色相空間の補正処理の演算を示す図である。
【発明を実施するための形態】
【０００８】
（第１実施形態）
図を参照し、本発明の実施形態について説明する。
図１は、本実施形態における表示装置構成を示すブロック図である。
この図１に示される表示装置１は、外部から映像信号が供給されており、その映像信号に基づいた映像を表示する。また、表示装置１には、表示部４０に表示された映像を測定するセンサ部２が接続され、センサ部２によって検出された表示装置１の表示特性を示す検出情報を得る。
センサ部２は、表示部４０に表示された画像の表示状態を検出する。センサ２による検出を行う際には、表示部４０に測定目的に応じた基準画像（テストパターン）が表示されており、線サブ２は、その表示された基準画像を検出する。
表示装置１の表示特性は、表示部４０の光学特性と、表示部４０の光学特性に合わせて、表示部４０に供給される信号を調整（変換）する信号変換特性とに依存する。また、測定された表示装置１の表示特性は、センサ部２を含む測定系の検出特性に依存するものとなる。
【０００９】
表示装置１は、検出情報取得部１０、補正情報生成部２０、ルックアップテーブル部３０、表示部４０、操作部８０、及び、制御部９０を備える。
検出情報取得部１０は、センサ部２からの検出情報を得る。
補正情報生成部２０は、検出情報取得部１０からセンサ部２によって検出された検出情報を得て、表示部４０の光学特性の変化を補正する補正情報を生成する。
補正情報生成部２０は、基準情報記憶部２１、第１検出情報記憶部２２、第１補正情報記憶部２３、現在特性記憶部２４、第１補正情報生成部２５、及び、第２補正情報生成部２６を備える。
【００１０】
基準情報記憶部２１は、基準とする画像を表示部４０に表示させる場合に、センサ部２（測光部）によって検出されるべき表示特性として定められる基準値を記憶する。
第１検出情報記憶部２２は、センサ部２によって検出された表示特性を示す第１検出情報を記憶する。第１検出情報は、表示装置１にセンサ部２が最初に接続された場合に検出した表示特性を示す。
第１補正情報記憶部２３は、基準値と第１検出情報とに基づいて生成された第１補正情報を記憶する。第１補正情報は、基準値と第１検出情報との差に基づいて生成された情報である。
現在特性記憶部２４は、第１検出情報が検出された後にセンサ部２によって検出された表示特性を示す第２検出情報を記憶する。第２検出情報は、表示装置１の現在の状況として検出した表示特性を示す。
【００１１】
第１補正情報生成部２５は、基準情報記憶部２１に記憶された基準値と、第１検出情報記憶部２２に記憶された第１検出情報を得る。第１補正情報生成部２５は、その基準値と第１検出情報との差に基づいた第１補正情報を生成する。第１補正情報生成部２５は、制御部９０から供給される制御指令に応じて、生成した第１補正情報を第１補正情報記憶部２３に記憶させる。
第２補正情報生成部２６は、第１補正情報記憶部２３に記憶された第１補正情報と、現在特性記憶部２４に記憶された第２検出情報とを得る。第２補正情報生成部２６は、その第１補正情報と第２検出情報との差に基づいた第２補正情報を、制御部９０から供給される制御指令に応じて生成する。
【００１２】
補正情報生成部２０は、制御部９０からの制御により、基準とする画像を表示部４０に表示させる場合に、センサ部２（測光部）によって検出されるべき表示特性として定められる基準値、センサ部２によって検出された表示特性を示す第１検出情報、及び、第１検出情報が検出された後にセンサ部２によって検出された表示特性を示す第２検出情報に基づいて、光学特性の変化を補正する補正情報を生成する。
【００１３】
ルックアップテーブル部３０（信号変換部）は、表示装置１に供給される映像信号を得て、補正情報に基づいて表示部４０の光学特性の変化を補正するように、その映像信号を変換する。ルックアップテーブル部３０は、変換した映像信号を表示部４０に供給する。ルックアップテーブル部３０は、上記の変換を行うための変換テーブル（ルックアップテーブル）を備えており、その変換テーブルは、複数の色相信号に応じて設けられている。
【００１４】
表示部４０は、表示装置１に供給された映像信号に応じた映像を表示する。表示部４０は、ルックアップテーブル部３０によって変換された映像信号が供給される。
操作部８０は、ユーザーによる操作を検出し、制御部９０に検出した操作情報を供給する。操作情報には、表示部４０の画質補正を行う画質補正処理の実施を指示する画質特性補正指示情報、目標画質特性を選択する目標画質選択情報などが含まれる。
【００１５】
制御部９０は、補正情報に応じて表示部４０の光学特性の変化を補正する信号変換を制御する。
制御部９０は、基準値と第１検出情報を比較して、センサ部２の特性を判定する。制御部９０は、その判定結果により、ルックアップテーブル部３０において第２補正情報に基づいた補正を行うか否かを判定する。
制御部９０は、基準値と第１検出情報との差が、あらかじめ定められる所定の値より大きい場合は、ルックアップテーブル部３０において第２補正情報に基づいた補正を行うようにする。つまり、制御部９０は、ルックアップテーブル部３０の変換テーブルの値を、第２補正情報により補正した補正値にする。
基準値と第１検出情報との差が、あらかじめ定められる所定の値に満たない場合は、ルックアップテーブル部３０において第２補正情報に基づいた補正を行わないようにする。つまり、制御部９０は、ルックアップテーブル部３０の変換テーブルの値を標準値にする。
【００１６】
また、制御部９０は、センサ部２が接続された際に、補正情報を作成する必要性を判定する。補正情報を作成する必要性の判定は、具体的には、ユーザーの作成指示があった場合、センサ部２の補正情報（第１補正情報）が第１補正情報記憶部２３に記憶されていない場合、最初にセンサ部２が接続された場合、などの条件成立時に行われる。
制御部９０は、例えば、検出情報取得部１０にセンサ部２が最初に接続された場合、センサ部２によって検出された表示特性を、補正情報生成部２０における第１検出情報として第１検出情報記憶部２２に記憶させる。
【００１７】
以下では、本発明による処理例として、表示装置１における表示特性補正手順について説明する。
図２は、表示装置１における表示特性を補正する処理の手順を示すフローチャートである。
まず、この手順を実施するにあたり、初期条件を整理する。
工場生産時などにおいて、リファレンスとなるカラーセンサにより表示装置１の表示特性値（Ａ）を得て、これを初期特性（基準値）とする。この初期特性は、別に定めた代表値や仕様値にとしてもよい。
上記のようにして定めた初期特性に応じた基準値を補正情報生成部２０における基準情報記憶部２１に記憶させておく。
【００１８】
続いて、ユーザーの使用環境などにおいて、制御部９０は、検出情報取得部１０にセンサ部２が接続されたことを検出させる（ステップＳ１０）。
表示装置１の使用を開始した初期段階に、制御部９０は、検出情報取得部１０によってセンサ部２が接続されたことを検出したか否かの判定を、センサ部２の接続を検出するまで繰り返し行う（ステップＳ１５）。
ステップＳ１５における判定の結果、センサ部２が接続されたと判定した場合、制御部９０は、検出情報取得部１０にセンサ部２によって検出された表示部４０の表示特性値（Ｂ）を取得させて、第１検出情報として第１検出情報記憶部２２に記憶させる（ステップＳ２０）。
【００１９】
本来、表示特性値（Ｂ）は、基準情報記憶部２１に記憶された表示特性値（Ａ）と一致するべきものである。しかしながら、センサ部２の個体差などにより、表示特性値（Ａ）（基準値）と表示特性値（Ｂ）（第１検出情報）と間に差が発生する場合があり、センサ部２によって検出された結果を補正することが必要になる。
【００２０】
制御部９０は、基準値と第１検出情報との差に基づいて、センサ部２によって検出された結果に基づいて補正することが必要か否かを判定する（ステップＳ２５）。
制御部９０は、基準値と第１検出情報との差が、あらかじめ定められる所定の値を越えていない場合、センサ部２の補正が必要ないと判定し（ステップＳ２５：否）、ルックアップテーブル部３０において第２補正情報に基づいた補正を行わないようにする。つまり、制御部９０は、ルックアップテーブル部３０の変換テーブルの値を標準値にして、補正処理の手中を終える。
【００２１】
一方、制御部９０は、基準値と第１検出情報との間に所定の値以上の差を検知した場合、センサ部２の補正が必要と判定し（ステップＳ２５：要）、第１補正情報生成部２５に第１の補正情報を生成させる。
第１補正情報生成部２５は、表示特性値（Ｂ）がモニターに格納された表示特性値（Ａ）に一致するように補正する第１の補正情報を生成し、第１補正情報記憶部２３に書き込んで記憶させる（ステップＳ３０）。この第１の補正情報による補正により、センサ部２によって検出された値が、その補正によって正確な値になるようにする。
【００２２】
ところで、然るべき時間が経過すると表示装置１における表示部４０の表示特性が変化する場合がある。以降に示す処理は、ステップＳ１０からＳ３０に示した手順から所定の時間が経過した後に行われる。
【００２３】
制御部９０は、センサ部２により、表示部４０の現在の表示特性を示す表示特性値（Ｃ）を改めて測定する。この測定により、センサ部２によって検出された表示部４０の表示特性値（Ｃ）を取得させて、現在の特性を示す第２検出情報として第２検出情報記憶部２４に記憶させる（ステップＳ４０）。
【００２４】
制御部９０は、第２補正情報生成部２６によって、第１補正情報記憶部２３に記憶された第１補正情報と、現在特性記憶部２４に記憶された第２検出情報の差に基づいた第２補正情報を生成させる。第２補正情報により、その表示特性値（Ｃ）に対して、前述の第１の補正値を適用し、表示特性値（Ｃ’）を得る（ステップＳ４５）。
【００２５】
制御部９０は、ルックアップテーブル部３０に設けられた変換テーブルの情報を第２補正情報に応じて補正して、更新する（ステップＳ６０）。これにより、表示特性値（Ｃ’）を用いて表示部４０の表示特性を校正することができる。
【００２６】
以降、制御部９０は、入力部８０から入力される情報に応じて、再び表示部４０の表示特性、すなわち変換テーブルの情報を変更する必要があるか否かを判定する。その判定の結果、変更が必要な場合は、ステップＳ４０からの処理を行わせる（ステップＳ６５）。
【００２７】
以上に示した手順により、表示装置１は、表示特性の補正を行うことができ、検出精度の低い光学センサを用いた測定により得られる測色値に含まれる測定誤差小さくすることができ、表示装置を所望の精度で校正することができる。
【００２８】
なお、本実施形態に示す補正処理においては、次に示す原理を利用している。
「基準値」として定めた表示測定値（Ａ）は、目標表示特性を示し、測定系による検出誤差を含まない。つまり、表示測定値（Ａ）は、所望の表示特性（Ｍ０）から導かれた値である。
【００２９】
表示測定値（Ｂ）は、測定系による検出誤差（ｅ）を含んで測定された初期の表示特性である。表示測定値（Ａ）を基準として示すことにより、Ｂ＝Ａ＋ｅと示すことができる。この時点に生成される第１補正情報（ＣＯＭ１）は、表示測定値（Ａ）と表示測定値（Ｂ）とが等しくなるように定めることにより、上記の検出誤差（ｅ）を打ち消すように定められる。つまり、Ｂ＝Ａと、Ｂ＝Ａ＋ｅ＋ＣＯＭ１、とから、ＣＯＭ１を得る。ＣＯＭ１＝−ｅである。
【００３０】
また、表示測定値（Ｃ）は、測定系による検出誤差（ｅ）を含んで測定され。初期の表示特性（Ａ）から表示部４０の光学特性が変化した状態（変化量をΔとして示す）を示す。つまり、Ｃ＝Ａ＋Δ＋ｅである。
ここで、表示測定値（Ｃ’）は、表示測定値（Ｃ）に第１補正情報（ＣＯＭ１）の補正を行うことにより得られる。つまり、次式のように表示測定値（Ｃ’）を表示測定値（Ａ）と表示部４０の光学特性の変化量Δとにより示すことができる。
【００３１】
Ｃ’＝Ｃ＋ＣＯＭ１
＝（Ａ＋Δ＋ｅ）−ｅ
＝Ａ＋Δ
【００３２】
よって、簡易に用いるセンサ部２による測定であっても、表示部４０の光学特性の変化量Δを正確に得ることができる。
【００３３】
（第２実施形態）
本実施形態の他の態様について示す。以下に示す実施形態では、表示部の校正を行うだけではなく、所望の画質特性に変化させる場合について説明する。
図３は、本実施形態における表示装置のブロック図である。図１と同じ構成には、同じ符号を付す。
表示装置１は、検出情報取得部１０、補正情報生成部２０Ｂ、ルックアップテーブル部３０、表示部４０、目標画質設定部５０、操作部８０、及び、制御部９０Ｂを備える。
【００３４】
補正情報生成部２０Ｂは、検出情報取得部１０からセンサ部２によって検出された検出情報を得て、目標画質設定部５０から目標画質情報を得て、表示部４０の光学特性の変化を補正する補正情報を生成する。
補正情報生成部２０Ｂは、基準情報記憶部２１、第１検出情報記憶部２２、第１補正情報記憶部２３、現在特性記憶部２４、第１補正情報生成部２５、第２補正情報生成部２６、及び、第３補正情報生成部２７を備える。
第３補正情報生成部２７は、第２補正情報生成部２６によって生成された第２補正情報と、目標画質情報とに基づいた第３補正情報を生成する。
【００３５】
目標画質特性生成部５０は、制御部９０Ｂからの制御指令に応じて、表示装置１における表示特性を所望の特性にする目標画質情報を生成する。
目標画質特性生成部５０は、目標画質特性記憶部５１と目標画質特性取得部５２を備える。
目標画質特性記憶部５１は、複数のプロファイリングデータ（５１ａから５１ｃ、以下、まとめて示す場合は、「５１ａ等」と記す）を記憶する。
プロファイリングデータ５１ａ等は、例えば表示装置１を適用する用途に応じて設けられ、それぞれの用途に応じた特性にあわせた表示特性となるように、表示装置１の表示特性を設定する情報である。
目標画質特性取得部５２は、制御部９０Ｂからの制御指令に応じて、指定された表示特性を示す識別情報により、表示装置１の表示特性を所望の特性にする目標画質情報を生成する。
ルックアップテーブル部３０は、設定された目標画質情報に応じて生成された第３補正情報により光学特性を調整する。
【００３６】
制御部９０Ｂは、制御部９０（図１）に加えて、操作部８０によって検出された情報に応じて、所望の目標画質特性を得られるように目標画質特性生成部５０を制御する。
制御部９０Ｂは、表示特性の測定に先立ち、目標画質特性を決定し、その結果に応じたプロファイリングデータ５１ａ等から、目標画質特性取得部５２に目標画質情報を生成させる。
【００３７】
上記に示した構成を備えることにより、第３補正情報生成部２７が、目標画質特性生成部５０によって生成された目標画質情報に基づいた第３補正情報を生成することができる。
第３補正情報には、目標画質情報にもとづいて生成されていることにより、ルックアップテーブル部３０に格納されている変換テーブルの情報を所望の目標画質に応じて生成することができる。
【００３８】
また、本実施形態においては、目標画質情報は、初期の表示特性の測定時と、現在の表示特性の測定時とにおいても同じ値に設定されている。
第１実施形態にも示したように、第１補正情報生成部２５と、第２補正情報生成部２６によって、異なるタイミングにより２つの補正情報が生成されるが、その第２補正情報には、目標画質情報の成分を含まずに生成することができる。
【００３９】
なお、本発明は、上記の各実施形態に限定されるものではなく、本発明の趣旨を逸脱しない範囲で変更可能である。
例えば、本実施形態とし示した初期特性は、白点輝度色度、ガンマ特性、色域などがある。その初期特性は、工場調整時などにリファレンスとなるセンサで表示装置１を測定して得ることができる。
【００４０】
また、本実施形態に示した表示装置１は、第１検出情報記憶部２２と現在特性記憶部２４を備えることとすることにより、複数の測定項目における検出結果に基づいて、補正情報を生成することができる。複数の測定項目に関連付けての演算処理を行わない場合には、上記の記憶部を削除してもよい。
【００４１】
また、本実施形態に示した表示装置１は、外部から映像信号が供給されるものとしたが、表示部４０と同じ筐体内に設けられた映像信号生成部により生成されるものであってもよい。そのような表示装置１としては、例えば、パーソナルコンピュータなどがあげられる。
【００４２】
また、２つの情報に基づいて補正情報を生成する処理は、任意の既存の技術を利用することができる。
例えば、例えばＸＹＺ値やＲＧＢ値などのセンサ値は、三次元色空間におけるベクトルとして扱える。このベクトルに３行３列の補正行列を内積して直交変換を行うことにより、一般的な色空間の拡大縮小や回転効果が得られる。この直交変換（ベクトル演算）により、センサ誤差も効果的に補正できる。このベクトル演算を本実施形態に適用した際の補正効果を図４に示す。
この図４において、三次元色空間（ｘｙｚ）はｘｙ平面に射影して示されている。三次元色空間（ｘｙｚ）において、第１検出情報（ＸｓＹｓＺｓ）として検出された色相空間Ｒ１Ｇ１Ｂ１を補正して、第２補正情報（ＸＹＺ）として示される色相空間Ｒ２Ｇ２Ｂ２を得る。この補正により、センサ部２によって検出された色相空間Ｒ１Ｇ１Ｂ１における白点Ｗ１についても、この補正により白点Ｗ２に移すことができる。また、上記のベクトル演算の具体的な補正式を図５に例示する。この演算により、第１検出情報を示すベクトル［ＸｓＹｓＺｓ］Ｔを、第２補正情報を示すベクトル［Ｘ  Ｙ  Ｚ］Ｔに変換する（添え字「Ｔ」は、転置ベクトルを示す）。
【００４３】
上述の表示装置１は内部に、コンピュータシステムを有している。そして、上述した表示装置１における表示特性を補正する処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【産業上の利用可能性】
【００４４】
安定した色再現を行うことが必要とされる表示装置に適用することにより、を向上させることができ、表示部の光学特性を容易に校正することができる。
安定した色再現を行うことが必要とされる用途としては、例えばグラフィックデザイン・印刷所・医療用などのディスプレイがあげられる。このような用途に用いられることにより、より有効な効果を奏することができる。
【符号の説明】
【００４５】
１    表示装置
２    センサ部
１０    検出情報取得部
２０、２０Ｂ    補正情報生成部
２１    基準情報記憶部
２２    第１検出情報記憶部
２３    第１補正情報記憶部
２４    現在特性記憶部
２５    第１補正情報生成部
２６    第２補正情報生成部
２７    第３補正情報生成部
３０    ルックアップテーブル部
４０    表示部
５０    目標画質設定部
８０    操作部
９０、９０Ｂ    制御部
【図１】
2012073344.tif 000003
【図２】
2012073344.tif 000004
【図３】
2012073344.tif 000005
【図４】
2012073344.tif 000006
【図５】
2012073344.tif 000007
【国際調査報告】
2012073344.tif 000008
2012073344.tif 000009
2012073344.tif 000010
2012073344.tif 000011